(57)【要約】【課題】簡易かつ高精度に計数対象物質を計数する。【解決手段】計数チップ１は、液体試料２０中の計数対象物質２１を離散して１次元または２次元に並べる配列機構８と、液体試料２０の少なくとも一部を着色液２４によって着色する着色部９と、着色部９から導入された液体試料２０に対し照射光を照射し、計数対象物質２１から透過または散乱する光量と、計数対象物質２１以外の部分から透過または散乱する光量との差を計測する計測部２と、を備える。【選択図】図１
2014006085.tif 000002
【特許請求の範囲】
【請求項１】
計数対象物質を含む液体試料の光学的測定を可能とする計数チップであって、
上記計数対象物質を離散して１次元または２次元に並べる配列機構と、
上記配列機構によって１次元または２次元に並べられた上記計数対象物質を含む液体試料の少なくとも一部を、着色液によって着色するための着色部と、
上記着色部から導入された上記液体試料に対して照射光を照射し、上記計数対象物質から透過または散乱する光量と、上記計数対象物質以外の部分から透過または散乱する光量との差を計測するための計測部と、を備えていることを特徴とする計数チップ。
【請求項２】
上記着色部は、上記配列機構として機能することを特徴とする請求項１に記載の計数チップ。
【請求項３】
上記配列機構は、上記液体試料と上記着色液とが合流することにより、上記計数対象物質を離散して１次元に並べる第１の合流部を含み、
上記第１の合流部に接続され、上記第１の合流部に上記液体試料を導入する試料導入路と、
上記第１の合流部に接続され、上記第１の合流部に上記着色液を導入する第１の着色液導入路と、を備え、
上記着色部は、
上記第１の合流部に接続され、上記第１の合流部にて合流した上記液体試料と上記着色液とが流入することにより、上記液体試料を着色するための第１の着色用流路を含むことを特徴とする請求項１または２に記載の計数チップ。
【請求項４】
上記第１の着色液導入路を複数備え、
複数の上記第１の着色液導入路の少なくとも２つは、上記第１の合流部を挟んで対向するように配置されていることを特徴とする請求項３に記載の計数チップ。
【請求項５】
上記配列機構は、さらに、上記第１の着色用流路に接続され、上記第１の着色用流路で着色された上記液体試料と上記着色液とが合流することにより、上記計数対象物質を離散して１次元に並べる第２の合流部を含み、
上記第２の合流部に接続され、上記第２の合流部に上記着色液を導入する第２の着色液導入路を備え、
上記着色部は、
上記第２の合流部に接続され、上記第２の合流部にて合流した、上記第１の着色用流路で着色された上記液体試料と上記着色液とが流入することにより、上記液体試料を着色するための第２の着色用流路をさらに含むことを特徴とする請求項３または４に記載の計数チップ。
【請求項６】
大気に開放された開口部である大気開放部と、
上記計測部と上記大気開放部との間に設けられ、上記着色部から上記計測部に導入された上記液体試料を停止させるとともに、上記計数チップの内部に含まれる気体を通過させる液止め部と、を備えていることを特徴とする請求項１から５のいずれか１項に記載の計数チップ。
【請求項７】
上記計測部と上記液止め部との間に、上記液体試料の体積を定量するための定量部を備えていることを特徴とする請求項６に記載の計数チップ。
【請求項８】
上記液止め部は、その内壁の一部又は全てが疎水性を有していることを特徴とする請求項６または７に記載の計数チップ。
【請求項９】
上記液止め部が流路として構成されており、
上記液止め部の流路幅をｗ、流路の高さをｈ、上記液止め部の鉛直上側の面である上面と上記液体試料との接触角をθ１、上記液止め部の上記上面に対向する面である下面と上記液体試料との接触角をθ２、上記液体試料と上記液止め部の側面との接触角をθ３、気液界面の界面張力をσとしたとき、
σ（ｃｏｓθ１／ｈ＋ｃｏｓθ２／ｈ＋２ｃｏｓθ３／ｗ）＜０
が成立することを特徴とする請求項８に記載の計数チップ。
【請求項１０】
上記計測部の、上記着色部と接続されていない側面のうちの少なくとも１つが、上記液止め部によって形成されていることを特徴とする請求項６から９のいずれか１項に記載の計数チップ。
【請求項１１】
上記計測部は、蛇行形状を有する流路であることを特徴とする請求項１から１０のいずれか１項に記載の計数チップ。
【請求項１２】
上記計測部は、上記計数対象物質が１つずつ通過可能な狭隘部であることを特徴とする請求項１から１１のいずれか１項に記載の計数チップ。
【請求項１３】
上記計測部は、上記狭隘部を複数備えていることを特徴とする請求項１２に記載の計数チップ。
【請求項１４】
上記着色部において、
上記計数対象物質以外の部分が上記着色液により着色されることを特徴とする請求項１から１３のいずれか１項に記載の計数チップ。
【請求項１５】
上記液体試料が血液であり、
上記計数対象物質が白血球であることを特徴とする請求項１から１４のいずれか１項に記載の計数チップ。
【請求項１６】
液体試料中に含まれる計数対象物質を計数する計数方法であって、
上記液体試料を、光学的測定を可能とする計数チップに導入し、
上記計数対象物質を離散して１次元または２次元に並べ、
上記１次元または２次元に並べられた上記計数対象物質を含む液体試料中の少なくとも一部を、着色液によって着色して、上記液体試料を計測部に導入し、
上記計測部において、上記液体試料に対して照射光を照射し、上記計数対象物質から透過または散乱する光量と、上記計数対象物質以外の部分から透過または散乱する光量との差によって、上記計数対象物質を計数することを特徴とする計数方法。
【請求項１７】
上記着色液によって着色された液体試料を、上記計数チップの内部に停止させるとともに、上記計数チップの内部に含まれる気体を上記計数チップの外部に排出することを特徴とする請求項１６に記載の計数方法。
【請求項１８】
請求項１から１５のいずれか１項に記載の計数チップに対して照射光を照射する光源と、
上記光源から照射された照射光の、上記計数対象物質から透過または散乱する光量と、上記計数対象物質以外の部分から透過または散乱する光量との差を検出する検出部と、を備えていることを特徴とする計数装置。
【請求項１９】
上記検出部が、上記計数チップを構成する平板の面方向に２次元的に配置されるエリアセンサであることを特徴とする請求項１８に記載の計数装置。
【請求項２０】
上記検出部が、上記計数チップを構成する平板の面方向に水平であり、なおかつ上記計数チップにおける上記液体試料の導入方向に垂直な方向に１次元的に配置されたラインセンサであることを特徴とする請求項１８に記載の計数装置。
【請求項２１】
上記光源により照射される上記照射光が上記検出部により受光される状態を維持しつつ、上記光源および上記検出部が、上記計数チップにおける上記液体試料の導入方向に対して平行に移動することを特徴とする請求項２０に記載の計数装置。
【請求項２２】
上記光源が半導体レーザーであり、上記検出部が上記半導体レーザーによって照射されたレーザー光を受光するフォトディテクタであることを特徴とする請求項１８に記載の計数装置。
【発明の詳細な説明】
【技術分野】
【０００１】
本発明は、液体試料中に含まれる計数対象物質の数を計数するための計数チップ、計数方法、および計数装置に関する。
【背景技術】
【０００２】
試料中の計数対象物質の計数は、医療分野において広く用いられるスクリーニング検査手法の一つである。上記計数対象物質として、具体的には、血液中の血球や、尿中の有形成分等が挙げられる。
【０００３】
血球計数は、尿検査、生化学検査とともに初診時に行うスクリーニング検査であり、感染症、貧血、出血等がある場合や、血液疾患の診断や経過観察に用いられる手法である。赤血球数は貧血等、白血球数は感染症等の診断のための基本指標となっている。
【０００４】
血球数計数方法として、簡易なものとして、血球数計算盤による赤血球または白血球の計数方法がある。例えば、特許文献１において、白血球の計数は、白血球の核を染色する希釈液により希釈した血液試料を特殊な計算盤、例えばバーカー（Ｂａｒｋｅｒ）計算盤に入れて顕微鏡で見ることにより、手作業で行われる。この計算盤は、明確に画定された複数の小体積に区切る格子を含み、格子中の1枡あたりの血球数を計数することにより、白血球数を決定することができる。この方法は、手作業で実行されるため、検査に時間がかかり、測定精度が悪い。
【０００５】
血球を自動的に計数する方法としては、顕微鏡像をカメラで撮像し、画像処理によって計数する方法がある。例えば、特許文献２に記載の血球自動分類装置は、ステージに置かれた血液標本中に散在する染色済みの血球の顕微鏡像をテレビカメラで撮像し、画像信号を画像処理装置に出力し、色濃度から血球分類分析を行い、自動的に血球数を計数する。この方法は装置の複雑化および大型化、並びにこれによる高価格化を伴うものである。
【０００６】
血球を自動的に計数する別の方法としては、フローシステムを利用した方法がある。この方法は、血球を含んだ試料液を用い、血球が１個ずつ細い測定器を通過するように試料液を流し、上記測定器近傍に位置する検出器で発生する信号により血球を計数するものであり、光学的測定方法と、電気的測定方法がある。
【０００７】
光学的測定方法として、特許文献３には、レーザー光源と、試料中の血球が１個ずつ細い流路を流れるようにしたフローセルと、血球からの前方散乱光と側方散乱光を検出する測光部と、検出信号を解析する解析装置とを備えたフローサイトメーターを使用する白血球分類方法が記載されている。この方法では、白血球を測定する場合は、予め、赤血球を溶血剤により溶血させて測定を行う。
【０００８】
電気的測定方法としては、特許文献４に、コールター（Ｃｏｕｌｔｅｒ）の原理による方法が記載されている。この方法において、白血球を測定する場合は、赤血球を溶血剤で溶血させ、白血球のみを含んだ電解液を細孔中に流し、血球が細孔を通過するときの細孔部のインピーダンス変化を検出し、検出信号の強弱によって白血球を識別し計数を行う。
【０００９】
また、特許文献５および６には、血液試料中の計数対象物質の体積計数のための試料獲得装置において、血液試料を受け取るための、固定された所定の厚さを有する計測空洞を確定する表面上に、該計数対象物質を選択的に染色するための試薬が乾燥固定されている構成が開示されている。
【先行技術文献】
【特許文献】
【００１０】
【特許文献１】特開昭５５−１０９０６号公報（１９８０年１月２５日公開）
【特許文献２】特開昭６１−２５８１６７号公報（１９８６年１１月１５日公開）
【特許文献３】特開２００２−３０３６２２号公報（２００２年１０月１８日公開）
【特許文献４】米国特許第５２６２３０２号明細書（１９９３年１１月１６日公開）
【特許文献５】特表２００８−５３３４６６号公報（２００８年８月２１日公表）
【特許文献６】特表２００９−５４１７３６号公報（２００９年１１月２６日公表）
【発明の概要】
【発明が解決しようとする課題】
【００１１】
計数対象物質の計数に当たっては、試料の計測に先立って試料中の計数対象物質と該計数対象物質以外とを光学的に分類する目的で、計数対象物質を着色する手法が知られている。この計数対象物質の着色を小型のチップ内で簡易に行うことは実験の効率を高める上で有用である。
【００１２】
しかしながら、特許文献１〜４においては、血球等の計数対象物質をチップ内において確実に着色するための構成について開示がなされていない。一方、特許文献５および６には小型のチップ内で計数対象物質を着色する技術が記載されているが、着色に用いる試薬は乾燥固定されたものであり、この構成では、チップ内において着色剤の溶け残りが生じ、溶け残った着色剤によって計数誤差を生じる虞がある。
【００１３】
また、特許文献３〜６に記載されているように、白血球を計数する場合には、赤血球と識別するために、予め溶血剤により赤血球を溶血させる手法が知られている。しかしながら、赤血球が完全に溶血しない場合、溶血せずに残った赤血球が計数誤差となる。さらに、溶血剤により、白血球の裸核化、膨潤、収縮等の形状変化が生じることで、計数誤差が生じる虞がある。
【００１４】
本発明は上記の問題点に鑑みなされたものであって、その目的は、簡易かつ高精度な計数対象物質の計数を可能とする計数チップ、計数方法、および計数装置を提供することにある。
【課題を解決するための手段】
【００１５】
本発明に係る計数チップは、上記の課題を解決するために、計数対象物質を含む液体試料の光学的測定を可能とする計数チップであって、上記計数対象物質を離散して１次元または２次元に並べる配列機構と、上記配列機構によって１次元または２次元に並べられた上記計数対象物質を含む液体試料の少なくとも一部を、着色液によって着色するための着色部と、上記着色部から導入された上記液体試料に対して照射光を照射し、上記計数対象物質から透過または散乱する光量と、上記計数対象物質以外の部分から透過または散乱する光量との差を計測するための計測部と、を備えていることを特徴としている。
【００１６】
上記構成によれば、計測部と別個の着色部を備えることにより、計測部での着色を不要とすることができるとともに、計測部に導入される液体試料を確実に着色することができる。
【００１７】
また、着色に着色液を用いることにより、粉末状の着色剤を用いる場合に生じ得る着色剤の溶け残りの虞がないため、これによる計数誤差の発生を防止することができる。
【００１８】
さらに、配列機構によって、計数対象物質を離散して１次元または２次元に並べることにより、着色対象物と着色液との接触面積が増大するので、液体試料は着色部において確実に着色される。また、計測部においては、液体試料の計数対象物質が離散した状態で着色部から導入されるため、計数対象物の結合または重畳等による計数誤差の発生を防止することができ、高精度に計数することが可能になる。
【００１９】
これらにより、簡易かつ高精度な計数対象物質の計数が可能となる。
【００２０】
また、本発明に係る計数方法は、液体試料中に含まれる計数対象物質を計数する計数方法であって、上記液体試料を、光学的測定を可能とする計数チップに導入し、上記計数対象物質を離散して１次元または２次元に並べ、上記１次元または２次元に並べられた上記計数対象物質を含む液体試料中の少なくとも一部を、着色液によって着色して、上記液体試料を計測部に導入し、上記計測部において、上記液体試料に対して照射光を照射し、上記計数対象物質から透過または散乱する光量と、上記計数対象物質以外の部分から透過または散乱する光量との差によって、上記計数対象物質を計数することを特徴としている。
【００２１】
上記構成によれば、計測部への導入前に液体試料を着色液によって着色することにより、計測部での着色を不要とすることができるとともに、計測部に導入される液体試料を確実に着色することができる。
【００２２】
また、着色に着色液を用いることにより、粉末状の着色剤を用いる場合に生じ得る着色剤の溶け残りの虞がないため、これによる計数誤差の発生を防止することができる。
【００２３】
さらに、計数対象物質を離散して１次元または２次元に並べることにより、着色対象物と着色液との接触面積が増大するので、液体試料を確実に着色することができる。また、計測部においては、液体試料の計数対象物質が離散した状態で導入されるため、計数対象物の結合または重畳等による計数誤差の発生を防止することができ、高精度に計数することが可能になる。
【００２４】
これらにより、簡易かつ高精度な計数対象物質の計数が可能となる。
【００２５】
また、本発明に係る計数装置は、上記の計数チップに対して照射光を照射する光源と、上記光源から照射された照射光の、上記計数対象物質から透過または散乱する光量と、上記計数対象物質以外の部分から透過または散乱する光量との差を検出する検出部と、を備えていることを特徴としている。
【００２６】
上記構成によれば、計測部に導入された着色後の液体試料に対し、光源から照射された照射光について、検出部が検出した、該液体試料中の計数対象物質から透過または散乱する光量に基づき、該計数対象物質を計数することが可能となる。これにより、簡易かつ高精度な計数対象物質の計数が可能となる。
【００２７】
本発明に係る計数チップにおいて、上記着色部は、上記配列機構として機能してもよい。
【００２８】
上記構成によれば、液体試料は、着色部において、計数対象物質が離散され１次元または２次元に並べられるとともに、液体試料に対して着色液による着色が行われる。
【００２９】
これにより、計数対象物質の配列と液体試料の着色が同時に実行されるため、計数対象物質の計数に要する時間の短縮と、計数チップの小型化が可能となる。
【００３０】
本発明に係る計数チップにおいて、上記配列機構は、上記液体試料と上記着色液とが合流することにより、上記計数対象物質を離散して１次元に並べる第１の合流部を含み、上記第１の合流部に接続され、上記第１の合流部に上記液体試料を導入する試料導入路と、上記第１の合流部に接続され、上記第１の合流部に上記着色液を導入する第１の着色液導入路と、を備え、上記着色部は、上記第１の合流部に接続され、上記第１の合流部にて合流した上記液体試料と上記着色液とが流入することにより、上記液体試料を着色するための第１の着色用流路を含むことが好ましい。
【００３１】
上記構成によれば、試料導入路によって導入された液体試料は、第１の着色液導入路によって導入された着色液と、第１の合流部において合流することで計数対象物質が離散され１次元に並べられ、該第１の合流部に接続された第１の着色用流路を含む着色部に流入し、該着色部にて着色される。
【００３２】
これにより、液体試料と着色液とを共に送液しながら液体試料の着色が行われるので、計数対象物質または着色液の濃度に偏りを生じさせることなく、着色後の液体試料を計測部に導入することができる。従って、より高精度な計数が可能となる。
【００３３】
上記計数チップは、上記第１の着色液導入路を複数備え、複数の上記第１の着色液導入路の少なくとも２つは、上記第１の合流部を挟んで対向するように配置されていてもよい。
【００３４】
上記構成によれば、合流部において、液体試料に対して着色液を少なくとも２つの方向から挟み込むように接触させることができるため、着色部における着色液の液体試料中への拡散距離を短くすることができる。これにより、着色剤による液体試料の着色を迅速に行うことができる。
【００３５】
上記計数チップにおいて、上記配列機構は、さらに、上記第１の着色用流路に接続され、上記第１の着色用流路で着色された上記液体試料と上記着色液とが合流することにより、上記計数対象物質を離散して１次元に並べる第２の合流部を含み、上記第２の合流部に接続され、上記第２の合流部に上記着色液を導入する第２の着色液導入路を備え、上記着色部は、上記第２の合流部に接続され、上記第２の合流部にて合流した、上記第１の着色用流路で着色された上記液体試料と上記着色液とが流入することにより、上記液体試料を着色するための第２の着色用流路をさらに含んでいてもよい。
【００３６】
上記構成によれば、第１の着色用流路で着色された上記液体試料は、第２の着色液導入路によって導入された着色液と、第２の合流部において合流することで計数対象物質が離散され１次元に並べられ、該第２の合流部に接続された第２の着色用流路をさらに含む着色部に流入し、該着色部にて着色される。
【００３７】
これにより、計数対象物質の離散および配列と、液体試料の着色とを複数回に亘り行えるため、より確実に着色を行うことができる。
【００３８】
本発明に係る計数チップは、大気に開放された開口部である大気開放部と、上記計測部と上記大気開放部との間に設けられ、上記着色部から上記計測部に導入された上記液体試料を停止させるとともに、上記計数チップの内部に含まれる気体を通過させる液止め部と、を備えていることが好ましい。
【００３９】
上記構成によれば、液止め部は、計数チップ内に液体試料を停止させる一方、計数チップ内の気体を通過させるため、該気体は大気開放部から計数チップ外に排出される。
【００４０】
これにより、計数チップ内に液体試料が間隙なく充填されやすくなるので、該充填された液体試料の体積は、当該計数チップ内部の構造および当該液止め部の形状より導かれる。
【００４１】
従って、上記充填された液体試料中の計数対象物質を計測部において計数すれば、当該液体試料中の上記計数対象物質の濃度が高精度に求められる。
【００４２】
また、本発明に係る計数方法は、上記着色液によって着色された液体試料を、上記計数チップの内部に停止させるとともに、上記計数チップの内部に含まれる気体を上記計数チップの外部に排出することが好ましい。
【００４３】
上記構成によれば、液体試料が計数チップ内に停止する一方、計数チップ内の気体は該計数チップの外部に排出される。
【００４４】
これにより、計数チップ内に液体試料が間隙なく充填されやすくなるので、該充填された液体試料の体積は、当該計数チップ内部の構造より導かれる。
【００４５】
従って、上記充填された液体試料中の計数対象物質を計測部において計数すれば、当該液体試料中の上記計数対象物質の濃度が高精度に求められる。
【００４６】
上記計数チップは、上記計測部と上記液止め部との間に、上記液体試料の体積を定量するための定量部を備えていることが好ましい。
【００４７】
上記構成によれば、計測部において計数対象物質を計数された液体試料は、定量部においてその体積が定量される。
【００４８】
これにより、計測部で計数された計数対象物質の数量と、定量部において定量された液体試料の体積とから、液体試料における計数対象物質の濃度が導かれる。従って、より高精度な計数が可能となる。
【００４９】
本発明に係る計数チップにおいて、上記液止め部は、その内壁の一部又は全てが疎水性を有していてもよい。
【００５０】
上記構成によれば、疎水性を有する簡易な構造により液止め部を実現できるため、計数チップの加工が容易となる。
【００５１】
上記計数チップにおいて、上記液止め部が流路として構成されており、上記液止め部の流路幅をｗ１、流路の高さをｈ１、上記液止め部の鉛直上側の面である上面と上記液体試料との接触角をθ１、上記液止め部の上記上面に対向する面である下面と上記液体試料との接触角をθ２、上記液体試料と上記液止め部の側面との接触角をθ３、気液界面の界面張力をσとしたとき、σ（ｃｏｓθ１／ｈ１＋ｃｏｓθ２／ｈ１＋２ｃｏｓθ３／ｗ１）＜０が成立することが好ましい。
【００５２】
上記構成によれば、液止め部において、液体試料を確実に停止させることができる。
【００５３】
本発明に係る計数チップにおいて、上記計測部の、上記着色部と接続されていない側面のうちの少なくとも１つが、上記液止め部によって形成されていてもよい。
【００５４】
上記構成によれば、計測部の側面のうち、着色部と接続されていない側面のうち少なくとも１つが、液止め部によって形成されており、この液止め部を介して大気開放部と接続されており、従って計測部の当該側面全体から気体が効率的に排出される。これにより、計測部全面に液体試料を確実に充填することができる。
【００５５】
本発明に係る計数チップにおいて、上記計測部は、蛇行形状を有する流路であってもよい。
【００５６】
上記構成によれば、計測部において働く毛細管力がより大きくなるため、計測部全面に液体試料を容易に充填することができる。
【００５７】
本発明に係る計数チップにおいて、上記計測部は、上記計数対象物質が１つずつ通過可能な狭隘部であってもよい。
【００５８】
上記構成によれば、狭隘部において計数対象物質が１つずつ通過するので、計測部における複数の計数対象物質の重畳等による測定誤差が生じにくくなる。従って、より高精度な計数が可能となる。
【００５９】
本発明に係る計数チップにおいて、上記計測部は、上記狭隘部を複数備えていてもよい。
【００６０】
上記構成によれば、計測部が狭隘部を複数備えることにより、複数の計数対象物質の重畳等を防ぎながら、同時に複数の計数対象物質を通過させることができるので、より高精度かつ高効率な計数が可能となる。
【００６１】
本発明に係る計数チップでは、上記着色部において、上記計数対象物質以外の部分が上記着色液により着色されてもよい。
【００６２】
上記構成によれば、計数対象物質の着色が不要であるため、着色に伴う計数対象物質の変性や形状変化を防止することができる。
【００６３】
本発明に係る計数チップにおいて、上記液体試料が血液であり、上記計数対象物質が白血球であってもよい。
【００６４】
上記構成によれば、白血球数が重要な指標となる白血病、感染症、または炎症性疾患等の診断および治療を適切に行うことができる。
【００６５】
本発明に係る計数装置において、上記検出部は、上記計数チップを構成する平板の面方向に２次元的に配置されるエリアセンサであってもよい。
【００６６】
上記構成によれば、計数装置は、平板方向の拡がりを有するエリアセンサを備えることで、該エリアセンサに重畳する計測部に充填された試料中の各領域の光吸収量を測定する。測定の結果、上記計測部の該計測部を形成する平板に対する垂直方向の距離をｈ２、該エリアセンサに重畳する計測部の平板方向の面積をｐとしたとき、計数装置は、ｐ・ｈ２の体積を有する試料中の計数対象物質を計数することができる。なお、上記各領域は、該エリアセンサの受光素子の平板方向の大きさ、すなわち該エリアセンサの空間分解能と同義であってもよい。
【００６７】
これにより、試料中の計数対象物質を広範囲に亘って計数することができる。
【００６８】
本発明に係る計数装置において、上記検出部は、上記計数チップを構成する平板の面方向に水平であり、なおかつ上記計数チップにおける上記液体試料の導入方向に垂直な方向に１次元的に配置されたラインセンサであってもよい。
【００６９】
上記構成によれば、計数装置は、ラインセンサに重畳する計測部を流れる試料中の各領域の光吸収量を一定時間測定する。測定の結果、ラインセンサと重畳する計測部における該ラインセンサの線方向の距離をｌ、測定時間中の試料の移動距離をｆとしたとき、計数装置は、ｌ・ｆ・ｈ２の体積を有する試料中の計数対象物質を計数することができる。なお、上記各領域は、該ラインセンサの受光素子の平板方向の大きさ、すなわち該ラインセンサの空間分解能と同義であってもよい。
【００７０】
これにより、平板方向の広がりを有するエリアセンサと比較し、必要となる発光素子および受光素子が少量で済むため、計数装置の小型化・低価格化が可能となる。
【００７１】
本発明に係る計数装置において、上記光源および上記検出部は、上記光源により照射される上記照射光が上記検出部により受光される状態を維持しつつ、上記計数チップにおける上記液体試料の導入方向に対して平行に移動してもよい。
【００７２】
上記構成によれば、計数装置は、光源と検出部を平行に移動させることで、ラインセンサの移動範囲に重畳する計測部に充填された試料中の各領域の光吸収量を測定する。測定の結果、ラインセンサと重畳する計測部における該ラインセンサの線方向の距離をｌ、該ラインセンサの移動距離をｍとしたとき、ｌ・ｍ・ｈ２の体積を有する試料中の計数対象物質を計数することができる。なお、上記各領域は、該エリアセンサの受光素子の平板方向の大きさ、すなわち該エリアセンサの空間分解能と同義であってもよい。
【００７３】
これにより、小型の光源・検出部で広範囲に亘る計数が可能となる。
【００７４】
本発明に係る計数装置において、上記光源は半導体レーザーであり、上記検出部は上記半導体レーザーによって照射されたレーザー光を受光するフォトディテクタであってもよい。
【００７５】
上記構成によれば、レーザー光はＬＥＤ等の他の発光素子と比較してより狭い波長域を有するため、着色液に含まれる色素の吸収波長のピークと同一の波長を有する照射光をより正確に照射することができる。
【００７６】
これにより、より高精度な計数が可能となる。
【発明の効果】
【００７７】
本発明に係る計数チップは、以上のように、計数対象物質を含む液体試料の光学的測定を可能とする計数チップであって、上記計数対象物質を離散して１次元または２次元に並べる配列機構と、上記配列機構によって１次元または２次元に並べられた上記計数対象物質を含む液体試料の少なくとも一部を、着色液によって着色するための着色部と、上記着色部から導入された上記液体試料に対して照射光を照射し、上記計数対象物質から透過または散乱する光量と、上記計数対象物質以外の部分から透過または散乱する光量との差を計測するための計測部と、を備えている構成である。
【００７８】
また、本発明に係る計数方法は、液体試料中に含まれる計数対象物質を計数する計数方法であって、上記液体試料を、光学的測定を可能とする計数チップに導入し、上記計数対象物質を離散して１次元または２次元に並べ、上記１次元または２次元に並べられた上記計数対象物質を含む液体試料中の少なくとも一部を、着色液によって着色して、上記液体試料を計測部に導入し、上記計測部において、上記液体試料に対して照射光を照射し、上記計数対象物質から透過または散乱する光量と、上記計数対象物質以外の部分から透過または散乱する光量との差によって、上記計数対象物質を計数する方法である。
【００７９】
また、本発明に係る計数装置は、上記の計数チップに対して照射光を照射する光源と、上記光源から照射された照射光の、上記計数対象物質から透過または散乱する光量と、上記計数対象物質以外の部分から透過または散乱する光量との差を検出する検出部と、を備えているものである。
【００８０】
上記構成によれば、簡易かつ高精度な計数対象物質の計数が可能となる。
【図面の簡単な説明】
【００８１】
【図１】（ａ）は、本発明の一実施形態に係る計数チップの上面図であり、（ｂ）は、上記計数チップの断面図であり、（ｃ）は、上記計数チップの備える合流部を含む領域の拡大図である。
【図２】（ａ）は、本発明の一実施形態に係る計数チップの計測部に、未着色の血液試料が充填された状態を、計測部の各領域における、所定の波長の光についての透過光量に対応させて示す図であり、（ｂ）は、上記計測部に、白血球が着色された血液試料が充填された状態を、計測部の各領域における上記透過光量に対応させて示す図である。
【図３】（ａ）は、本発明の一実施形態に係る計数チップの計測部に、未着色の血液試料が充填された状態を、計測部の各領域における、図２とは異なる波長の光についての透過光量に対応させて示す図であり、（ｂ）は、上記計測部に、血漿が着色された血液試料が充填された状態を、計測部の各領域における上記透過光量に対応させて示す図である。
【図４】本発明の一実施形態に係る計数装置および計数チップの外観を示す上面図である。
【図５】（ａ）および（ｂ）は、図４に示す計数装置内部に備えられた光源および検出部を、図１に示す計数チップとともに示す断面図である。特に、（ａ）は、上記検出部をエリアセンサにて実現した例を示す断面図であり、（ｂ）は、上記検出部をラインセンサにて実現した例を示す断面図である。
【図６】（ａ）は、図１に示す計数チップの一変形例を示す上面図であり、（ｂ）は、（ａ）に示す計数チップにおける合流部８を含む領域の拡大図であり、（ｃ）は、図１に示す計数チップの別の変形例を示す上面図であり、（ｄ）は、図１に示す計数チップのさらに別の変形例を示す上面図である。
【図７】（ａ）は、図１に示す計数チップにおいて、ジグザグ状の蛇行流路である計測部を備えた構成を示す上面図である。（ｂ）は、図１に示す計数チップにおいて、楕円形の計測部を備えた構成を示す上面図である。（ｃ）は、図１に示す計数チップにおいて、流路内に複数のピラー構造を設けた計測部を備えた構成を示す上面図である。（ｄ）は、（ｃ）に示す計数チップの断面図である。（ｅ）は、図１に示す計数チップにおいて、側面が開放された計測部を備えた構成を示す上面図である。（ｆ）は、（ｅ）に示す計数チップの断面図である。
【図８】（ａ）は、本発明の別の変形例に係る計数チップの上面図であり、（ｂ）は、（ａ）に示す計数チップにおける合流部と計測部とを含む領域の拡大図である。
【図９】図８に示す計数チップを用いて計数対象を計数するために、図４に示す計数装置に備えられ得る光源と検出部とを、上記計数チップとともに示す断面図である。
【図１０】（ａ）は、本発明のさらに他の実施形態に係る計数チップの上面図であり、（ｂ）は、（ａ）における計測部を含む領域の拡大図である。
【図１１】図１０に示す計数チップを用いて計数対象を計数するために、図５に示す計数装置に備えられ得る光源と検出部とを、上記計数チップとともに示す断面図である。
【図１２】（ａ）は、本発明の別の実施形態に係る計数チップの着色部の構成の一例を示す斜視図であり、（ｂ）は、（ａ）に示す着色部に着色液が導入された様子を示す図である。
【発明を実施するための形態】
【００８２】
本発明の実施の形態について、図１〜図１２に基づいて説明する。なお、本発明は、以下の記載に限定されるものではない。
【００８３】
なお、以下の図面において同一または相当する部分には、同一の参照符号を付すものとし、それらの説明は重複して行なわない。また、図面における長さ、大きさおよび幅などの寸法関係ならびに形状は、図面の明瞭化と簡略化のために適宜に変更されており、実際の寸法および形状を表してはいない。
【００８４】
〔第１の実施形態〕
〔１．計数チップの構造について〕
本発明の第１の実施形態に係る計数チップの構造について、図１〜図１１を参照して説明する。
【００８５】
図１（ａ）は、本実施形態に係る計数チップ１の上面図であり、図１（ｂ）は、計数チップ１の、試料導入孔４と計測部２とを通る断面図である。
【００８６】
計数チップ１は、計測部２と、基板３と、試料導入孔４と、試料導入流路（試料導入路）５と、着色液導入孔６と、着色液導入流路（第１の着色液導入路）７と、合流部（配列機構、第１の合流部）８と、着色流路（着色部、第１の着色用流路）９と、空気孔（大気開放部）１０と、空気孔流路１１と、液止め部１２とを備えて成る構成である。
【００８７】
計測部２は、試料を充填し、光源から照射した光を検出部で検出することによって計数対象物質を計数するための流路であり、加工後の基板３ａと基板３ｂとを貼り合わせたときに形成される空間である。
【００８８】
基板３は、計数チップ１の平板構造を構成する基板であり、基板３ａと基板３ｂとが接合されてなる。基板３ａおよび基板３ｂを、ウェットエッチングやドライエッチング等の技術を用いて加工することにより、各流路および開口部が成形され、これらを備える計数チップ１が構成される。基板３を形成する物質としては、ガラスやプラスチック等、透光性を有しかつ平板を形成し得るあらゆる物質が挙げられる。
【００８９】
試料導入孔４は、計測部２に充填すべき液体試料を計数チップ１に導入するための開口部である。具体的には、血液等の液体試料が試料導入孔４から計数チップ１に導入される。試料導入流路５は、試料導入孔４と合流部８とを接続する流路であり、試料導入孔４から導入された試料を、合流部８に導入する。
【００９０】
着色液導入孔６は、液体試料を着色するための着色液２４（図１（ｃ）参照）を計数チップ１に導入するための開口部である。着色液導入流路７は、着色液導入孔６と合流部８とを接続する流路であり、着色液導入孔６から導入された着色液２４を、合流部８に導入する。
【００９１】
合流部８は、試料導入流路５および着色液導入流路７を介して導入された液体試料および着色液２４が合流する領域である。合流部８において、液体試料中の計数対象物質は、着色液導入流路７から導入された着色液２４が合流部８に流れ込む力によって離散され、１列（１次元）に並べられるとともに、合流部８の、各着色液導入流路７との接続部と対向する領域の方へと流される。図１に示す例では、合流部８を挟んで対向する２つの着色液導入流路７が設けられているため、計数対象物質は、合流部８および着色流路９において、流路の中心に並べられる。本実施形態では、確実に計数対象物質を離散して１列に並べるために、合流部８が試料導入流路５および着色液導入流路７との接続形態、形状等が規定されているほか、液体試料および着色液２４の流量等が調節されている。合流部８の下流には着色流路９が接続されている。
【００９２】
着色流路９は、合流部８で合流した液体試料および着色液２４を混合し、液体試料を着色するための流路である。本実施形態では、液体試料中の計数対象物質は、着色流路９において離散した状態で１列に並んで送液され、且つ、該液体試料と接して着色液２４が送液されるため、各計数対象物質の表面と着色液２４とが接触しやすくなる。すなわち、各計数対象物質と着色液２４との接触面積が増大する。また、計数対象物質以外の部分を着色する場合においては、当該計数対象物質以外の部分への着色液２４の十分な拡散が短時間で達成される。従って、液体試料の着色が確実に行われる。なお、液体試料の着色をより確実に行うために、該液体試料の十分な着色に要する時間に応じて、着色流路９の長さを適宜調節すればよい。
【００９３】
さらに、合流部８での着色液２４との合流によって計数対象物質が離散されるので、着色後の液体試料が計測部２へ導入され計測される際、計数対象物質同士の結合や重畳等による計数誤差の発生を防止することができる。
【００９４】
なお、本実施形態では、合流部８が計数対象物質を離散して１次元に並べる配列機構としての機能を有しているものとして説明するが、これに限らず、当該配列機構の機能を着色流路９が果たす構成であってもよい。この場合、合流部８および着色流路９が配列機構の機能を有していても、着色流路９のみが当該機能を有していてもよい。
【００９５】
空気孔（大気開放部）１０は、計数チップ１内の各流路内の空気を計数チップ１の外部に排出するための開口部である。試料導入孔４および着色液導入孔６から液体試料および着色液２４が導入されたときに、該液体試料および該着色液２４の導入前に計数チップ１内の各流路を満たしていた空気が外部に排出されなければ、該液体試料および該着色液２４がスムーズに導入されないという問題が生じる。空気孔１０はこの問題を避けるために備えられており、液体試料導入前に計数チップ１内の各流路を満たしていた空気は、試料導入孔４および着色液導入孔６から導入された液体試料および着色液２４に押し出される形で空気孔１０から外部へと排出される。
【００９６】
空気孔流路１１は、計測部２と空気孔１０とを接続するための流路である。計数チップ１内の各流路を満たしていた空気は、空気孔流路１１を通過して空気孔１０から排出される。
【００９７】
液止め部１２は、計測部２と空気孔流路１１とを接続し、計測部２に導入された液体試料を停止させるとともに、計測部２内において液体試料および着色液２４に押し出された気体を通過させる。液止め部１２が備えられることにより、計測部２からの液体試料の流出を防ぐことができるため、より少量の試料で計測部２を満たすことができる。さらに、気体を通過させることにより、計数チップ１内に液体試料が間隙なく充填されやすくなるので、該充填された液体試料の体積は、計数チップ１内部の構造および液止め部１２の形状より求められる。よって、充填された液体試料中の計数対象物質を計測部２において計数すれば、当該液体試料中の計数対象物質の濃度が高精度に求められる。
【００９８】
液止め部１２は、内壁の一部又は全てが疎水性の構造を有していることが好ましい。
【００９９】
さらに、液止め部１２が疎水性構造を有し、且つ流路として構成される場合、液止め部１２の流路幅をｗ１、流路の高さをｈ１、液止め部１２の鉛直上側の面である上面と液体試料との接触角をθ１、液止め部１２の上記上面に対向する面である下面と液体試料との接触角をθ２、上記液体試料と液止め部１２の側面との接触角をθ３、気液界面の界面張力をσとしたとき、
σ（ｃｏｓθ１／ｈ１＋ｃｏｓθ２／ｈ１＋２ｃｏｓθ３／ｗ１）＜０    （式１）
が成立することが好ましい。
【０１００】
上記式の左辺は、液止め部１２の流路内の液体に作用する圧力Ｐを表しており、０＜Ｐのとき、当該流路において毛細管現象が生じるため、該流路において液体試料が移動する。一方、Ｐ＜０のときは、当該流路において毛細管現象は生じないため、液体試料は該流路において移動しない、すなわち、停止する。従って、（式１）が成立すれば、Ｐ＜０となり、よって、液止め部１２において、液体試料を確実に停止させることができるという効果を奏する。
【０１０１】
ここで、本実施形態において、液体試料中の計数対象物質を着色する方法と、液体試料中の計数対象物質以外の部分を着色する方法とを、図２〜図３を参照して説明する。図２〜図３では特に、具体例として、液体試料が血液試料２０であり、計数対象物質が白血球２１である場合について説明する。しかしながら、本実施形態に係る液体試料および計数対象物質はこれに限定されない。
【０１０２】
図２（ａ）は、計測部２に血液試料（液体試料）２０が充填された状態を、計測部２の各領域における透過光量に対応させて示す図であり、図１（ｂ）に示す計測部２の拡大図である。血液試料２０は、図２（ａ）に示すように、粒子として白血球（計数対象物質）２１と赤血球２２とを含み、液体成分として血漿（計数対象物質以外の部分）２３を含む。図２（ａ）における参照符号ｈ２は、計測部２における基板３ａ、３ｂの面方向に対する垂直方向の距離、すなわち計測部２の高さであり、少なくとも白血球２１の最大径（約２０μｍ）より大きい値を有する。そして、図２（ａ）においては、計測部２の各領域における透過光量も示されている。
【０１０３】
ここで、透過光量とは、光源から照射され、計測部２を透過した所定の波長の光を、検出部において計測することで算出される数量である。図２（ａ）にて上下方向の破線を下ろした領域は、該破線で繋がれた計測部２における領域の透過光量を示している。図２では、白血球２１の計数を行うために、赤血球２２を透過する（光学測定において赤血球２２の影響を受けにくい）波長の光を照射している。しかしながら、白血球２１はほぼ無色透明であることから、図２（ａ）に示すように、未着色の状態では当該波長の光を照射しても、透過光量から白血球２１を高精度に計数することは困難である。
【０１０４】
そこで、白血球２１を着色する手法が一般的に用いられている。図２（ｂ）は、計測部２に、着色液２４によって着色された白血球２１を含む血液試料２０が充填された様子を、計測部２の各領域における透過光量に対応させて示す図であり、図１（ｂ）における計測部２の拡大図である。図２（ｂ）における上下方向の破線の指示内容は、図２（ａ）と同様である。
【０１０５】
図２（ｂ）からわかるように、赤血球２２を含む領域と、着色後の白血球２１を含む領域と、白血球２１の着色に伴い着色された血漿２３のみを含む領域とで、透過光量が異なっている。
【０１０６】
ここで、図２〜図３に示す透過光量のグラフは相対的な値を示すものである。図２（ｂ）を参照すれば、白血球２１の着色に伴い付随的に着色された血漿２３と比較して、赤血球２２の当該波長の光についての透過光量が相対的に多く、また、白血球２１が選択的に着色されているので、付随的に着色された血漿２３と比較して、着色後の白血球２１の当該波長の光についての透過光量が相対的に少なくなっていることがわかる。白血球２１を着色する手法としては、ギムザ染色、ロマノフスキー染色、ライト染色、メイギムザ染色、ライトギムザ染色、ペルオキシターザ染色等が挙げられ、照射光の波長はこれらによって染色された状態の白血球２１の吸収波長のピークであることが好ましい。
【０１０７】
上述の白血球２１の着色の結果、図２（ｂ）に示すように、１つの好ましい閾値ｔｈ１を設定することで、白血球２１を識別し計数することができる。つまり、閾値ｔｈ１として、着色後の白血球２１を含む領域に対応する透過光量と、血漿２３に対応する透過光量との間の値を設定すれば、透過光量が閾値ｔｈ１よりも小さくなる領域の数を、白血球２１の数として認識することができる。
【０１０８】
一方で、白血球２１を着色することなく白血球２１を計数する方法も適用され得る。
【０１０９】
図３（ａ）は、計測部２に血液試料２０が充填された状態を、計測部２の各領域における透過光量に対応させて示す図であり、図１（ｂ）に示す計測部２の拡大図である。その他、図２（ａ）と同様であるが、本図では図２（ａ）とは照射光の波長が異なっている。図３（ａ）で照射される光は、赤血球２２の吸収波長のピークと同一または近い波長を有し、この照射光は白血球２１および血漿２３を透過する。これにより、赤血球２２を含む領域の透過光量が白血球２１および血漿２３より低いため、図３（ａ）の透過光量のグラフにて示すように、１つの好ましい閾値ｔｈ２を設定することで、赤血球２２を識別し計数することができる。
【０１１０】
しかしながら、この条件では、図３（ａ）の測定値からは、白血球２１と血漿２３とを区別することができず、従って白血球２１を計数することができない。この問題を解決するため、本図に示す方法では、血漿２３が着色される。
【０１１１】
図３（ｂ）は、計測部２に、着色液２４によって着色された血漿２３を含む血液試料２０が充填された状態を、計測部２の各領域における透過光量に対応させて示す図であり、図１（ｂ）における計測部２の拡大図である。図３（ｂ）における上下方向の破線の指示内容は、図３（ａ）と同様である。
【０１１２】
そして、図３（ｂ）からわかるように、赤血球２２を含む領域と、白血球２１を含む領域と、着色後の血漿２３のみを含む領域とで、透過光量が異なっている。従って、１つの好ましい閾値ｔｈ３を設定することで、白血球２１を識別し計数することができる。つまり、閾値ｔｈ３として、白血球２１を含む領域に対応する透過光量と、着色後の血漿２３のみに対応する透過光量との間の値を設定すれば、透過光量が閾値ｔｈ３よりも大きくなる領域の数を、白血球２１の数として認識することができる。
【０１１３】
さらに、もう１つの閾値ｔｈ４を設定することにより、赤血球２２の計数も同時に行うことができる。つまり、閾値ｔｈ４として、着色後の血漿２３のみに対応する透過光量と、赤血球２２を含む領域に対応する透過光量との間を設定すれば、透過光量が閾値ｔｈ４よりも小さくなる領域の数を、赤血球２２の数として認識することができる。
【０１１４】
また、血漿２３を着色する着色液２４は、赤血球２２の吸収波長域に吸収波長のピークを有していてもよく、具体的にはヘモグロビン溶液を着色液２４として用いることができる。これにより、ヘモグロビンの吸収波長域の光を照射することで、白血球２１を赤血球２２と区別して効率よく計数することができる。
【０１１５】
また、赤血球２２を溶血させることで得られた溶血上清を着色液２４として用いてもよい。着色液２４を溶血上清として用いる場合、溶血処理は白血球２１が変形および変性しない段階で停止することが好ましく、このとき一部の赤血球２２が溶血せずに残存していても、白血球２１とは光吸収量が異なるため、本実施形態に係る計数チップ１を用いて白血球の計数を行う際には問題とはならない。
【０１１６】
一方で、白血球２１と赤血球２２の計数を同時に行いたい状況も考えられる。このような状況では、図３（ｂ）に示すように２つの好ましい閾値ｔｈ３、ｔｈ４を設定する方法も考えられる。しかしながら、より精度の高い両血球の計数のためには、着色液２４が、赤血球２２の吸収波長域と異なる波長域に吸収波長のピークを有していることが好ましい。このような着色液２４により血漿２３を着色すれば、着色後の血漿２３は赤血球２２と異なる吸収波長のピークを有することになる。そして、計測部２に照射する光の波長を、赤血球２２の吸収波長域と、着色後の血漿２３の吸収波長域との２種類に設定することで、それぞれの照射光の検出結果に基づき、赤血球２２と白血球２１とをより高精度に計数することができる。すなわち、赤血球２２によって完全に吸収され透過光量がほぼ０になる光と、着色後の血漿２３によって完全に吸収され透過光量がほぼ０になる光とを別々に照射すれば、単一の好ましい閾値によって、赤血球２２と血漿２３の存在する範囲がそれぞれ明確となる。そして、両者の測定結果を組み合わせて、血液試料２０から赤血球２２と血漿２３との存在範囲を除外することによって白血球２１の計数を行うことができる。
【０１１７】
図３に示す例において、上記ｈ２を光路長としたときの、着色後の血漿２３の吸光度をＡλとすると、Ａλの値を０．０５≦Ａλ≦２．５の範囲とすることが好ましい。Ａλがこの範囲の値を取ることにより、計測部２における白血球２１と着色後の血漿２３との透過光量の差が、光学的にこれらを分類して識別するために十分な値となり、高精度な白血球２１の計数が可能となる。
【０１１８】
また、図２〜図３における計測部２の高さｈ２については、２０μｍ＜ｈ２≦６０μｍが成立する程度の値とされる。この数値範囲は、本例における計数対象である白血球２１の最大径から平均径の４倍までの範囲にほぼ対応する。計測部２がこの範囲の高さｈ２を有することにより、白血球２１は、形状を変化させることなく計測部２に導入されるとともに、白血球２１への照射光は、白血球２１以外の部分（例として赤血球２２または着色後の血漿２３）によって遮蔽されにくくなる。これにより、計測部２における白血球２１と白血球２１以外の部分との光吸収量の差を大きくすることができ、より高精度に白血球２１を計数することができる。
【０１１９】
なお、図２〜図３に示す例では透過光量を指標としているが、透過光量に代えて散乱光量を用いてもよい。散乱光量は、光源から照射され、計測部２において計数対象物質等の粒子に当たって反射した所定の波長の光を、検出部において計測することで算出される数量である。
【０１２０】
また、図２〜図３に示す例において、着色液２４は水溶液であることが好ましい。これにより、血液試料２０を容易に着色できるほか、血球と同程度の巨大な粒子を含まないため、血球計数精度を低下させる虞もない。また、着色液２４は血液試料２０の等張液であってもよい。これにより、血球の収縮や溶血・膨潤等の変形、変性を防ぐことができ、高精度な血球計数を行うことができる。
【０１２１】
図１（ｃ）を参照して、計数チップ１における液体試料および着色液２４の導入方法を説明する。図１（ｃ）は、計数チップ１における、試料導入流路５、着色液導入流路７、合流部８、および着色流路９を含む領域の拡大図である。以下では、説明の便宜上、図２〜図３で示したものと同じ具体例を用いて記載する。すなわち、液体試料を血液試料２０、計数対象物質を白血球２１として記載する。
【０１２２】
試料導入孔４から図中黒矢印の方向に導入された血液試料２０は、計数対象の粒子として白血球２１を含んでおり、試料導入流路５を通過し、合流部８へ到達する。なお、図中で血液試料２０に含まれる計数対象の粒子を白血球２１としているが、これに限らず、上記粒子は赤血球２２等の他の細胞であってもよい。
【０１２３】
一方、着色液導入流路７からは、着色液導入孔６から図中白矢印の方向に導入された着色液２４が、血液試料２０を両側から挟む形で合流部８へ到達する。これにより、着色液２４がシース液の機能を果たし、着色流路９においてシースフローが形成される。さらに、試料導入流路５、着色液導入流路７、および着色流路９の幅、またはこれらを通過する血液試料２０および着色液２４の流量を調節することにより、着色流路９を通過する着色後の血液試料２０において、白血球２１は離散するとともに１列に並べられる。これにより、上述のとおり、白血球２１または血漿２３の着色が確実に行われる。
【０１２４】
〔２．計数装置の構造について〕
次に、本実施形態において、計数処理を行うための計数装置４０の構造について、図４および図５を参照して説明する。
【０１２５】
図４は、本実施形態に係る計数装置４０の外観を、計数チップ１とともに示す図である。計数装置４０は、チップホルダ４１と、操作ボタン４２と、表示部４３とを備えて成る構成である。
【０１２６】
チップホルダ４１は、血液試料２０を導入した計数チップ１を装着するためのホルダである。すなわち、チップホルダ４１から計数チップ１を装着することによって、計測部２を計数装置４０内部の光源と検出部とによって適切に挟むことができる。
【０１２７】
操作ボタン４２は、計数処理の開始・終了の指示や、計数処理において用いられるパラメータ等を計数装置４０の制御部に入力するためのインターフェースである。さらに、操作ボタン４２を介して、計測部２に照射される光の波長、図２〜図３に示す各閾値、および、計数対象となる血球を決定する操作等を行ってもよい。
【０１２８】
表示部４３は、計数処理の測定結果や、各種パラメータ等を表示するためのものである。計数装置４０の操作者は、表示部４３に表示される測定結果を参照して、上記閾値を再設定してもよい。
【０１２９】
図５（ａ）は、本実施形態に係る計数装置４０が備える光源５１および検出部（エリアセンサ）５２を、計数チップ１とともに示す図である。
【０１３０】
光源５１は、計測部２に充填された血液試料２０に対し、照射光を照射するためのものである。上記照射光は、所定の波長域にピークを有する光である。そして、照射光のピークは、例えばヘモグロビンの吸収波長のピークと一致させることができる。光源５１は、ＬＥＤ等の発光素子やレーザーによって実現されてもよい。なお、光源５１が照射する照射光の強度分布については、測定範囲（検出部５２によって透過光量または散乱光量が検出される、計測部２における領域）の最大強度をＬｍａｘ、最小強度をＬｍｉｎとしたとき、Ｌｍａｘ／Ｌｍｉｎ≦２であることが好ましく、最も好ましくは均一である。これにより、照射光の強度の違いに起因する測定誤差を少なくし、高精度に計数対象の血球を計数することができる。以下で記載する光源５１の種々の変形例においても、好ましい照射光の強度分布は上記と同様である。
【０１３１】
検出部（エリアセンサ）５２は、光源５１が照射し、計測部２に充填された血液試料２０を透過または散乱した照射光を検出する。検出部５２は、ＣＣＤ等の受光素子によって実現されてもよい。また、図５（ａ）に示す構成において、検出部５２は、基板３の面方向に２次元的に配置されるエリアセンサであり、例えばエリアＣＣＤによって実現されてもよい。
【０１３２】
上記構成により、計数装置４０は、検出部５２に重畳する計測部２の範囲に充填された血液試料２０中の各領域の光吸収量を測定する。そして、該測定結果に基づいて上記範囲に対応する体積の血液試料２０中の血球を計数することができる。なお、上記各領域とは、検出部５２の画素サイズに対応していてもよく、すなわち検出部５２の空間分解能を指す。さらに、上記画素サイズｐは、撮影倍率をｘとしたとき、例えば白血球２１を計数する場合はｐ≦１５μｍ・ｘ／２であることが好ましい。さらに、赤血球２２の計数も行う場合は、ｐ≦８μｍ・ｘ／２程度であることが好ましい。これにより、透過光量または散乱光量によって計数対象の血球を高精度に計数することが可能となる。以下で記載する検出部５２の種々の変形例においても、好ましい画素サイズは上記と同様である。
【０１３３】
エリアセンサによって実現された検出部５２は、一度に広範囲の計測部２の領域についての測定が可能となる。一方で、要求される測定範囲の拡大に従って光源５１とともに大型化が必要となる場合もある。
【０１３４】
そこで、計数装置のコンパクト化を実現するために、図５（ｂ）に示す構成の光源５１ａおよび検出部（ラインセンサ）５２ａを用いることが可能である。図５（ｂ）は、検出部５２ａとして、基板３の面方向に水平であり、なおかつ計数チップ１における血液試料２０の導入方向に垂直な方向に１次元的に配置されたラインセンサを備えた構成を示す断面図である。また、検出部５２ａは、例えばラインＣＣＤによって実現されてもよい。
【０１３５】
図５（ｂ）に示す構成において、光源５１ａおよび検出部５２ａは、光源５１ａにより照射される照射光が検出部５２ａにより受光される状態を維持しつつ、図中の白矢印の方向に平行に移動する。なお、光源５１ａおよび検出部５２ａの移動方向（図中白矢印）は計数チップ１における上記液体試料の導入方向（図中黒矢印）と平行であることが好ましい。しかしながら、光源５１ａおよび検出部５２ａの移動方向は、これに限られず、基板３の平板方向に対して平行であればよい。また、図５（ｂ）では光源５１ａおよび検出部５２ａが１方向に移動する構成を示しているが、光源５１ａおよび検出部５２ａは２方向に移動してもよい。
【０１３６】
光源５１ａと検出部５２ａとが上記のように移動することにより、計数装置４０は、検出部５２ａの移動範囲に重畳する計測部２の範囲（好ましくは計測部２全体）に充填された血液試料２０中の各領域の透過光量または散乱光量を測定する。そして、該測定結果に基づいて上記範囲に対応する体積の血液試料２０中の血球を計数することができる。なお、上記各領域とは、検出部５２ａを実現するラインセンサの受光素子の単位時間（測定の時間分解能）当たりの移動範囲に対応していてもよく、すなわち検出部５２ａの空間分解能を指す。これにより、光源５１ａおよび検出部５２ａに係る設置空間や価格を抑えながら、計測部２の広範囲に亘る測定が可能となる。
【０１３７】
〔３．計数チップの流路の形状について〕
本発明に係る計数チップ１の各流路は多様な形状を有しうる。以下に、いくつかの例を示す。
【０１３８】
〔３−１．合流部およびその周辺の形状の変形例〕
図６を参照しながら、本実施形態に係る計数チップにおける合流部８およびその周辺の形状の変形例について説明する。
【０１３９】
図６（ａ）は、図１に示した計数チップ１において、着色液導入流路７が合流部８に対し片側にのみ設けられている構造を有する計数チップ１ａを示す図である。この構成では、着色液２４は合流部８に対し片側から流れ込むため、図６（ｂ）に示すように、合流部８において、血液試料２０中の白血球２１は、合流部８の、着色液導入流路７との接続部と対向する領域の方へと流される。図６（ｂ）においては、図１（ｃ）と同様に、黒矢印は血液試料２０の導入方向を、白矢印は着色液２４の導入方向を示している。
【０１４０】
この構成によれば、図１（ａ）と比較して、着色液導入孔６および着色液導入流路７が１つずつ少なくなるため、より簡易な加工で本実施形態に係る計数チップを実現できるとともに、該計数チップの小型化が可能となる。
【０１４１】
図６（ｃ）は、図１に示した計数チップ１において、両側に１つずつ着色液導入孔６ａおよび着色液導入流路（第２の着色液導入路）７ａが追加され、これに伴い、合流部８および合流部（配列機構、第２の合流部）８ａの多段の合流部を設けた構造を有する計数チップ１ｂを示す図である。
【０１４２】
この構成では、着色流路９で着色された血液試料２０が、合流部８ａにおいて、着色液導入孔６ａから着色液導入流路７ａを介して導入された新たな着色液２４と合流し、着色流路（第２の着色用流路）９ａにおいてさらに着色される。着色液導入流路７ａから導入される着色液２４の流量は、図１の説明にて述べた着色液導入流路７と同様であることが好ましい。これにより、血液試料２０の着色がより確実に行われるとともに、血液試料２０中の白血球２１を確実に離散して１次元に並べることが可能となる。
【０１４３】
図６（ｄ）は、図１に示した計数チップ１において、着色液導入流路７が合流部８に対し片側にのみ設けられており、且つ、合流部が８および８ａとして多段に設けられている構造を有する計数チップ１ｃを示す図である。
【０１４４】
この構成によれば、図６（ａ）および図６（ｃ）の奏する効果の両方を得ることができる。すなわち、計数チップ１ｃは、本実施形態に係る計数チップの小型化、および、血液試料２０のより確実な着色を可能とする。
【０１４５】
〔３−２．計測部の形状の変形例１：エリア計測部〕
次に、図７を参照して、本実施形態に係る計数チップにおける計測部の形状の変形例について説明する。
【０１４６】
図７（ａ）は、図１に示した計数チップ１において、矩形形状を有する計測部２に代えて、ジグザグ状の蛇行流路である計測部（蛇行形状を有する流路）２ａを備えた計数チップ１ｄを示す。計測部２ａが細い蛇行流路であることにより、図１に示した矩形形状を有する計測部２と比較して、より強い毛細管力が働くので、計測部２ａの全体に血液試料２０を容易に充填することができる。
【０１４７】
図７（ｂ）は、図１に示した計数チップ１において、矩形形状を有する計測部２に代えて、楕円形の計測部２ｂを備えた計数チップ１ｅを示す。計測部２ｂは円形であってもよい。計測部２ｂが円形または楕円形を有することにより、計測部２ｂの全体に確実に血液試料２０を充填することができる。
【０１４８】
図７（ｃ）は、図１に示した計数チップ１において、矩形形状を有する計測部２に代えて、流路内に複数のピラー構造７１を設けた計測部２ｃを備えた計数チップ１ｆの上面図である。図７（ｃ）に示す構成において、計数チップ１ｆを構成する基板３ｃは、図７（ｄ）に示す基板３ｄと基板３ｅとが接合されてなり、例えばＰＤＭＳ（ポリジメチルシロキサン）等の変形しやすい物質からなる部材が想定されている。ピラー構造７１は、図７（ｄ）に示すように、計測部２ｃにおいて、基板３ｄおよび基板３ｅを支える柱構造であり、基板３ｄおよび基板３ｅの湾曲等による計測部２ｃの変形を防ぐ機能を果たす。これにより、ＰＤＭＳ等の変形しやすい基板３ｃから構成される計数チップ１ｆにおいても、計測部２ｃの高さが一定に保たれる。
【０１４９】
図７（ｅ）は、図１に示した計数チップ１において、矩形形状を有する計測部２に代えて、側面が開放された計測部２ｄを備えた計数チップ１ｇの上面図である。また、計数チップ１ｇは、計数チップ１ｄ（図７（ａ）参照）等に設けられた円形の開口部である空気孔１０に代えて、計測部２ｄの各側面と同程度の長さを有する溝である空気孔（大気開放部）１０ａを備えている。さらに、計数チップ１ｇは空気孔流路１１を備えておらず、計測部２ｄと空気孔１０ａとは、液止め部１２ａのみによって隔てられている。
【０１５０】
図７（ｆ）は、計数チップ１ｇの断面図である。図７（ｆ）に示すように、計数チップ１ｇは、計測部２ｄと空気孔１０ａとの間に幅の狭い空気孔流路１１が設けられていない。したがって、図１に示した計数チップ１と比較して、計数チップ内の気体を短時間でより多く通過させ、外部に排出することができる。よって、計測部２ｄに効率的に血液試料２０を充填することができる。
【０１５１】
なお、図７（ｅ）において、計測部２ｄは３面の側面が空気孔１０ａに開放されている構造となっているが、計数チップ１ｇにおいて開放されている側面の数は３に限定されず、１面のみ、あるいは計測部の側面すべてが空気孔１０ａに開放されていてもよい。
【０１５２】
〔３−３．計測部の形状の変形例２：スポット計測部〕
上述の記載において、計測部２およびその変形例は、全て基板の面方向における広がりを有する流路として説明したが、本発明に係る計測部の形状はこれに限定されない。本実施形態に係る計数チップおよび計数装置４０に関する別の構成例について、図８および図９を参照して説明する。
【０１５３】
図８（ａ）は、図１に示した計数チップ１において、計測部２に代えて、白血球２１が１つずつ通過可能な狭隘部である計測部（狭隘部）２ｅを備えている計数チップ１ｈを示す図である。計数チップ１ｈはさらに、計測部２ｅと液止め部１２との間に定量部８１を備えている。なお、図中で空気孔１０と液止め部１２は空気孔流路１１を介さずに接続されているが、計数チップ１ｈは空気孔流路１１を備えていてもよい。
【０１５４】
計測部２ｅは、着色流路９にて着色された血液試料２０を通過させる狭隘部である。本実施形態のように白血球２１を計数対象物質とする場合、計測部２ｅの流路幅ｗ２（図８（ｂ）参照）について、好ましくは２０μｍ＜ｗ２≦６０μｍが成立する。上記幅ｗ２と計測部２ｅの高さｈ２（図２および図３参照）との組み合わせにより、計測部２ｅは、計数対象物質である白血球２１が１個ずつ通過するために適切な流路形状を有する。
【０１５５】
なお、図中では着色流路９の幅方向の中央で狭窄しているが、着色液導入流路７が片側のみに設けられている場合は、合流部８の、着色液導入流路７との接続部と対向する領域から血液試料２０の導入方向に延伸した領域に狭窄部が設けられていてもよい。これは、合流部８において、血液試料２０に対し着色液２４が片側から合流すると、図６（ｂ）に示したように、白血球２１は、合流部８の、着色液導入流路７との接続部と対向する領域の方へと流され、着色流路９において着色液導入流路７の反対側に偏って流れるためである。このような状態の白血球２１が計測部２ｅをスムーズに通過するためには、計測部２ｅは、白血球２１が偏っている側に狭窄していることが好ましい。
【０１５６】
定量部８１は、血液試料２０の体積を定量するための空間である。定量部８１は、下流に液止め部１２を備えており、計測部２ｅを通過した血液試料２０が定量部８１に間隙なく充填されれば、着色液２４の流量と、定量部８１および液止め部１２との構造とから、計測部２ｅを通過した血液試料２０の体積が一義的に求められる。従って、該求められた血液試料２０の体積と、計測部２ｅによって計数された白血球２１の数とから、血液試料２０中の白血球２１の濃度を求めることができ、これにより高精度な白血球２１の計数が実現される。なお、上記の液止め部１２の構造とは、例えば、液止め部１２が毛細管力を利用した吸収体である場合には、液止め部１２による血液試料２０の吸収量によって規定されてもよい。すなわち、液止め部１２の構造によって、定量部８１に充填される血液試料２０の体積に影響を与える数値が一義的に規定されればよい。
【０１５７】
なお、計測部２ｅを通過した血液試料２０の体積は、血液試料２０と着色液２４との流量の比を用いて求めることも可能である。具体的には、血液試料２０と着色液２４とが所定の流量の比を維持して定量部８１を充填することができる場合、該流量の比と、定量部８１および液止め部１２との構造とから、計測部２ｅを通過した血液試料２０の体積が一義的に求められる。
【０１５８】
図８（ｂ）を参照して、計測部２ｅにおける白血球２１の通過態様を説明する。図８（ｂ）は、図８（ａ）に示した計数チップ１ｈにおける、試料導入流路５、着色液導入流路７、合流部８、着色流路９、計測部２ｅ、定量部８１を含む領域の拡大図である。
【０１５９】
図８（ｂ）に示すように、合流部８において着色液２４と合流した血液試料２０は、着色流路９を離散かつ１列に並んだ状態で通過する。図８（ｂ）においては、図１（ｃ）と同様に、黒矢印は血液試料２０の導入方向を、白矢印は着色液２４の導入方向を示している。
【０１６０】
着色流路９を１列に並んで通過した白血球２１は、上記の高さｈ２および幅ｗ２を有する狭隘部である計測部２ｅを通過し、定量部８１に導入される。
【０１６１】
図９は、血液試料２０と着色液２４とが導入された計数チップ１ｈと、光源（半導体レーザー）５１ｂおよび検出部（フォトディテクタ）５２ｂとを示す断面図である。図中の黒矢印は血液試料２０の導入方向を示す。
【０１６２】
光源５１ｂは半導体レーザーによって実現可能であり、検出部５２ｂは上記半導体レーザーによって照射されたレーザー光を受光するフォトディテクタによって実現可能である。光源５１ｂと検出部５１ｂとは、計数チップ１ｈが計数装置４０に載置されたときに、計測部２ｅを挟むことが可能なように設置される。光源５１ｂおよび検出部５２ｂは、狭窄した計測部２ｅに重畳し得る形状であればよいため、さらに計数装置の小型化が可能となる。
【０１６３】
光源５１ｂは、計測部２ｅを通過する血液試料２０にレーザー光を照射し、検出部５２ｂは、計測部２ｅ内の血液試料２０を透過した上記レーザー光を検出する。これが一定時間繰り返され、検出部５２ｂが検出した透過光量または散乱光量に基づき、計測時間中に計測部２ｅを通過した血液試料２０中に存在する白血球２１の計数が行われる。
【０１６４】
半導体レーザーによる光源５１ｂが発するレーザー光は、通常のＬＥＤが発する光と比較して、波長および振幅のばらつきが少ない。このため、所望の波長、すなわち着色液２４または赤血球２２の吸収波長のピークとなる波長を有する光を血液試料２０に照射することができ、より精度の高い血球計数が可能となる。
【０１６５】
〔３−４．計測部の形状の変形例３：ライン計測部〕
本実施形態に係る計数チップおよび計数装置４０のさらに別の構成例について、図１０および図１１を参照して説明する。
【０１６６】
図１０（ａ）に、着色流路９と同じ流路幅を有する計測部２ｆを備えた計数チップ１ｉの上面図を示す。計測部２ｆは、複数の狭隘部２ｆ１によって構成されている。そして、計測部２ｆにおいては、図１１に示すように、血液試料２０は計測部２ｆを通過しながら光源５１ｃから照射光を照射される。より具体的には、血液試料２０は、各狭隘部２ｆ１を通過しながら照射光を照射される。
【０１６７】
図１０（ｂ）は、計測部２ｆの拡大図であり、各狭隘部２ｆ１を白血球２１が通過している状態を示している。各狭隘部２ｆ１の流路幅は、好ましくは計測部２ｅ（図８参照）の流路幅ｗ２と同一の数値範囲を取る。これにより、血液試料２０が計測部２ｆを通過するとき、各狭隘部２ｆ１において白血球２１が１つずつスムーズに通過する。
【０１６８】
図１１は、計数チップ１ｉとともに、光源５１ｃおよび検出部（ラインセンサ）５２ｃの構成を示す図である。検出部５２ｃは、基板３の面方向に水平であり、なおかつ計数チップ１ｉにおける血液試料２０の導入方向に垂直な方向に１次元的に配置されたラインセンサであり、ラインＣＣＤ等によって実現される。光源５１ｃと検出部５２ｃとは、計数チップ１ｉが計数装置４０に載置されたときに、計測部２ｆを挟むことが可能なように設置される。
【０１６９】
また、試料導入孔４から図中矢印の方向に導入された血液試料２０は、合流部８において着色液２４と合流し、その後着色流路９において着色され、続いて計測部２ｆを通過する。
【０１７０】
計測部２ｆにおいて、白血球２１は、各狭隘部２ｆ１（図１０（ｂ）参照）において１つずつ通過する。この狭隘部２ｆ１を通過する白血球２１を含む血液試料２０に対し、光源５１ｃから照射光が照射され、検出部５２ｃは、血液試料２０を透過した上記照射光を検出する。検出部５２ｃが検出した透過光量または散乱光量に基づいて、白血球２１の計数が行われる。
【０１７１】
計測部２ｆは、狭隘部２ｆ１を複数備えることにより、計測部２ｅ（図８（ａ）参照）を複数備えていると見做せる構造を有している。これにより、計測部２ｅと比較して一度に計測できる血液試料２０の体積が多くなるため、高効率な血球計数が可能となる。
【０１７２】
なお、図９に示す光源５１ｂおよび検出部５２ｂは、２方向に移動することにより、基板３の面方向の拡がりを有する計測部２、２ａ、２ｂ、２ｃ、２ｄ（図１および図６〜７参照）における所定領域について測定を行うことができる。ここで、上記２方向とは、基板３の面方向内の２つの方向であり、好ましくは、血液試料２０の導入方向、並びに、該導入方向および計測部２等の高さ方向と垂直な方向である。上記所定領域は、計測部の全体であっても、一部であってもよい。これにより、光源５１ｂおよび検出部５２ｂに係る設置空間や価格を抑えながら、計測部２の広範囲に亘る測定が可能となる。また、光源５１ｂおよび検出部５２ｂは、１方向に移動することにより、計測部２ｆの測定を行うことも可能である。ここで、上記１方向とは、計数チップ１ｉにおける血液試料２０の導入方向に垂直な方向である。
【０１７３】
〔第２の実施形態〕
本発明において、計数チップはまた、着色部の形状によっても計数対象物質を離散してかつ１次元または２次元に並べることが可能である。すなわち、第１の実施形態では、計数対象物質を離散して１次元に並べる配列機構の機能を、主として合流部８および８ａの構造により実現していたが、本実施形態では、その機能を主として着色部の形状によって実現するものである。さらに、本実施形態は、着色部の形状により、計数対象物質を２次元に並べることが可能な構成となっている。
【０１７４】
本発明の第２の実施形態に係る計数チップ１００について、図１２を参照して説明する。なお、説明の便宜上、既に説明した図面と同じ機能を有する部材については、同じ符号を付記し、その説明を省略する。
【０１７５】
図１２は、計数チップ１００の備える着色部（配列機構）９００の斜視図である。着色部９００は、少なくとも幅ｗ３、高さｈ３を有し、大気開放された溝構造を有する。
【０１７６】
本実施形態において、着色液２４は計数チップ１００の外部から着色部９００に導入されることが好ましい。また、着色部９００は、上記第１の実施形態にて示した任意の計測部に接続されており、所定の時間間隔ごとに、着色部９００から受ける液圧等によって開放される遮断弁によって、上記計測部と隔てられていることが好ましい。上記所定の時間間隔は、着色部９００に導入された液体試料２００が、着色液２４によって確実に着色されるために要する時間によって決定される。
【０１７７】
高さｈ３は、液体試料２００中の計数対象物質２１０がスムーズに通過可能であって、且つ２つ以上重畳しない数値範囲を取り、白血球２１を計数対象物質とする場合は、上記第１の実施形態にて示したｈ２と同一の値であってもよい。
【０１７８】
幅ｗ３は、例えば、少なくとも１回の測定に必要となる液体試料２００が導入され、且つ、導入される計数対象物質２１０の最大直径のほぼ整数倍となる長さであればよい。例えば、液体試料２００が血液で計数対象物質２１０が白血球である場合、幅ｗ３は、７５〜１５０００μｍであることが好ましい。この数値範囲は、平均径１５μｍを有する白血球が５〜１０００個並ぶと仮定して算出したものである。
【０１７９】
図中の長さｌは、液体試料２００が計数チップ１００の備える計測部（不図示）に到達するまでに、着色液２４によって着色されるために十分な長さであればよい。
【０１８０】
図１２（ａ）に示すように、上記のように規定された着色部９００に液体試料２００が導入されると、液体試料２００中の計数対象物質２１０が、着色部９００の長さｌおよび幅ｗ３の方向に沿って面状に並ぶ。すなわち、計数対象物質２１０は着色部９００において２次元に並べられる。そして、この状態において着色液２４が計数チップ１００の外部から着色部９００に導入されると、図１２（ｂ）に示すように、複数の計数対象物質２１０のそれぞれの表面に着色液２４が接触することとなる。すなわち、計数対象物質２１０と着色液２４との接触面積が増大する。よって、計数対象物質２１０を効率的に着色することができる。また、着色部９００が上記のように規定された形状を有することにより、計数対象物質２１０が離散されるため、着色後の液体試料２００が不図示の計測部に導入され計測される際に、計数対象物質２１０の結合または重畳等による計数誤差の発生を防止することができる。
【０１８１】
このように、図１２に示す計数チップ１００によれば、着色部９００が複数の計数対象物質２１０を２方向に１列に並べるので、一度に着色する計数対象物質２１０の数を多くすることができる。
【０１８２】
なお、計数対象物質２１０を１次元に並べる場合には、幅ｗ３を、計数対象物質２１０がスムーズに通過可能であって、且つ２つ以上同時に通過不可能な数値範囲に規定すればよく、白血球２１を計数対象物質とする場合は、上記第１の実施形態にて示したｗ２と同一の値であってもよい。これにより、着色部９００に液体試料２００が導入されると、計数対象物質２１０は、着色部９００において長さｌの方向に沿って線状に並ぶ。すなわち、計数対象物質２１０は着色部９００において１次元に並べられる。
【０１８３】
上述した機構によって１次元または２次元に並べられた計数対象物質２１０を含む液体試料２００は、上記第１の実施形態にて示した任意の計測部に導入され、計数対象物質２１０の計数が行われる。
【０１８４】
本発明は上述した各実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１８５】
本発明に係る計数チップ、計数方法、および計数装置は、バイオテクノロジーの分野における、医薬品製造等の試料中の粒子管理、および医療分野における血液中の血球測定や尿中の有形成分分析等に、好適に利用することができる。
【符号の説明】
【０１８６】
１、１ａ、１ｂ、１ｃ、１ｄ、１ｅ、１ｆ、１ｇ、１ｈ、１ｉ  計数チップ
２、２ｂ、２ｃ、２ｄ、２ｆ、２ｇ、２ｈ、２ｉ  計測部
２ａ  計測部（蛇行形状を有する流路）
２ｅ  計測部（狭隘部）
２ｆ１  狭隘部
５  試料導入流路（試料導入路）
７  着色液導入流路（第１の着色液導入路）
７ａ  着色液導入流路（第２の着色液導入路）
８  合流部（配列機構、第１の合流部）
８ａ  合流部（配列機構、第２の合流部）
９  着色流路（着色部、第１の着色用流路）
９ａ  着色流路（着色部、第２の着色用流路）
１０  空気孔（大気開放部）
１０ａ  空気孔（大気開放部）
１２  液止め部
２０  血液試料（液体試料）
２１  白血球（計数対象物質）
２３  血漿（計数対象物質以外の部分）
２４  着色液
４０  計数装置
５１、５１ａ、５１ｃ  光源
５１ｂ  光源（半導体レーザー）
５２  検出部（エリアセンサ）
５２ａ、５２ｃ  検出部（ラインセンサ）
５２ｂ  検出部（フォトディテクタ）
８１  定量部
１００  計数チップ
２００  液体試料
２１０  計数対象物質
９００  着色部（配列機構）
【図１】
2014006085.tif 000003
【図２】
2014006085.tif 000004
【図３】
2014006085.tif 000005
【図４】
2014006085.tif 000006
【図５】
2014006085.tif 000007
【図６】
2014006085.tif 000008
【図７】
2014006085.tif 000009
【図８】
2014006085.tif 000010
【図９】
2014006085.tif 000011
【図１０】
2014006085.tif 000012
【図１１】
2014006085.tif 000013
【図１２】
2014006085.tif 000014